(57)【特許請求の範囲】
【請求項１】
多重伝導ケーブルにより相互接続されたデータポートの接続状態を確認するシステムであって、
前記データポートはそれぞれソケットを有し、前記多重伝導ケーブルは各端部に前記ソケットと会合するジャックを具え、前記ソケットと前記ジャックとは、会合した時に標準化された目的に使用される標準接点を形成し、
前記ソケットのそれぞれに近接して追加のソケット接点が設けられており、各ジャックには追加の外部接点が設けられていて、前記ジャックと前記ソケットとが会合したときに前記外部接点は前記ソケット接点と電気的に接続して追加の接点を形成し、
少なくとも１個の出力モジュールが信号を送るべく少なくとも１個の前記ソケット接点に電気的に接続されており、少なくとも１個の入力モジュールが少なくとも１個の前記ソケット接点に電気的に接続されて前記出力モジュールから送られる信号を受信し、前記出力モジュールおよび前記入力モジュールにはマイクロプロセッサーが結合されていて、前記マイクロプロセッサーは、前記出力モジュールにより送られる信号を制御し、かつ前記入力モジュールにより受信された信号を検知し、該信号を解読して前記データポートの接続状態を確認し、さらに前記マイクロプロセッサーには出力表示手段が結合されていて、前記マイクロプロセッサーにより確認された前記データポートの接続状態を表示することを特徴とする接続状態確認システム。
【請求項２】
前記信号を前記ソケット接点に送り、いずれの前記入力モジュールが前記信号を受信したかを確認し、各ソケット接点についてこの作業を繰り返すことにより、前記マイクロプロセッサーが前記データポートの接続状態を確認することを特徴とする請求項１に記載のシステム。
【請求項３】
前記多重伝導ケーブルが標準化されたケーブルであることを特徴とする請求項１に記載のシステム。
【請求項４】
前記多重伝導ケーブルがＲＪ４５ケーブルであることを特徴とする請求項３に記載のシステム。
【請求項５】
前記多重伝導ケーブルがＲＪ１１ケーブルであることを特徴とする請求項３に記載のシステム。
【請求項６】
標準多重伝導ケーブルにより相互接続されたデータポートの接続状態を確認するシステムであって、
前記データポートはそれぞれ標準ソケットを有し、前記標準多重伝導ケーブルはそれぞれ各端部に前記標準ソケットと会合する標準ジャックを具え、前記標準ソケットと前記標準ジャックとは、会合した時に標準化された目的に使用される標準接点を形成し、
前記標準ソケットのそれぞれの近くには追加のソケット接点が設けられており、各標準ジャックには追加の外部接点が設けられていて、前記標準ジャックが前記標準ソケットと会合したときに前記外部接点は前記ソケット接点と電気的に接続して追加の接点を形成し、
出力モジュールが各ソケット接点に結合されていて、かつ前記ソケット接点に信号を送るべく作用し、入力モジュールが各ソケット接点に結合されて前記出力モジュールからの信号を受信し、前記出力モジュールおよび前記入力モジュールにはマイクロプロセッサーが結合されていて、前記マイクロプロセッサーは、前記出力モジュールからの信号を制御するとともに、前記入力モジュールにより受信された信号を検知し、該信号を解読して前記データポートの接続状態を確認し、さらに前記マイクロプロセッサーには出力表示手段が結合されていて、前記マイクロプロセッサーにより確認された前記データポートの接続状態を表示することを特徴とするシステム。
【請求項７】
前記ソケット接点に前記信号を送り、いずれの前記入力モジュールが前記信号を受信したかを確認し、かつ各ソケット接点について該作業を繰り返すことにより前記マイクロプロセッサーが前記データポートの接続状態を確認することを特徴とする請求項６に記載のシステム。
【請求項８】
それぞれがソケットを具えたデータポートの接続状態を確認するシステムであって、
前記ソケットの近くには追加のソケット接点が設けられており、複数の多重伝導ケーブルが前記データポートを相互に接続しており、各多重伝導ケーブルは各端部に前記ソケットの１つと会合するジャックを具えていて、各ジャックは追加の外部接点を有しており、前記ソケットと前記ジャックとは、会合した時に標準化された目的に使用される標準接点を形成し、前記ジャックが前記ソケットと会合したときに、前記外部接点が前記ソケット接点と電気的に接続して追加の接点を形成し、
出力モジュールが信号を送るべく各ソケット接点に接続されていて、入力モジュールが各ソケット接点に結合されて前記出力モジュールからの前記信号を受信し、マイクロプロセッサーが前記出力モジュールおよび前記入力モジュールに結合されていて、前記出力モジュールにより送られる前記信号を制御するとともに、前記入力モジュールにより受信された前記信号を検知し、さらに該信号を解読して、前記データポートの接続状態を確認し、前記マイクロプロセッサーには出力表示手段が結合されていて、前記マイクロプロセッサーにより確認された前記データポートの接続状態を表示することを特徴とするシステム。
【請求項９】
ソケット接点に前記信号を送り、いずれの前記入力モジュールが前記信号を受信したかを確認し、各ソケット接点についてこの作業を繰り返すことにより、前記マイクロプロセッサーが前記データポートの接続状態を確認することを特徴とする請求項８に記載のシステム。
【請求項１０】
前記多重伝導ケーブルが標準ケーブルであることを特徴とする請求項８に記載のシステム。
【請求項１１】
前記標準ケーブルがＲＪ４５接続ケーブルであることを特徴とする請求項１０に記載のシステム。
【請求項１２】
前記標準ケーブルがＲＪ１１接続ケーブルであることを特徴とする請求項１０に記載のシステム。
【請求項１３】
多重伝導ケーブルにより相互に接続される第１及び第２のデータポートの接続状態を確認するシステムであって、
前記第１のデータポートは第１のソケットを有し、前記第２のデータポートは第２のソケットを有し、前記多重伝導ケーブルは、各端部に前記第１及び第２のソケットと会合するジャックを具え、前記第１及び第２のソケットと前記ジャックとは、会合した時に標準化された目的に使用される標準接点を形成し、
追加の第１のソケット接点が前記第１のソケット内に位置しており、追加の第２のソケット接点が前記第２のソケット内に位置しており、追加の外部接点が各ジャックに設けられて、前記ジャックが前記第１及び第２のソケットと会合したときに、前記外部接点は前記第１及び第２のソケット接点と電気的に接続して追加の接点を形成し、出力モジュールが信号を送るべく前記第１及び第２のソケット接点に結合されており、入力モジュールが前記第１及び第２のソケット接点に結合されて前記出力モジュールによる信号を受信し、マイクロプロセッサーが前記出力モジュールと前記入力モジュールとに結合されて、前記出力モジュールによる信号を制御するとともに、前記入力モジュールにより受信された信号を検知し、該信号を解読して前記第１及び第２のデータポートの接続状態を確認し、出力表示手段が前記マイクロプロセッサーに結合されて、前記マイクロプロセッサーにより確認された前記第１及び第２のデータポートの接続状態を表示することを特徴とするシステム。
【発明の詳細な説明】
【０００１】
【発明の技術分野】
この発明は、配線システム、およびそれに関連するコンピューター周辺装置に関し、さらに詳しくは、特別な接続ケーブル、あるいは接続パネルを必要としない、データポート間の相互接続状態を確認する装置、および方法に関する。
【０００２】
【発明の背景技術】
ローカルエリアネットワーク（ＬＡＮ）における、様々なポート間を相互接続する、継ぎ目の諸問題は、当業者には良く知られている。この問題をあつかう、少なくともひとつのシステムが、米国特許第５，４８３，４６７号に「接続パネルスキャナー」という表題で記述されている。この特許は、コンピューターポート、およびユーザーポートのような、様々なポート間の相互接続機構を自動的、連続的に検知する、接続パネルスキャナーを記述している。
【０００３】
この種のシステムにおいては、ポート間の相互接続は、接続ケーブルによってもたらされ、あるいは代わりに、イスラエル国テルアビブにあるＲＩＴ  Ｔｅｃｈｎｏｌｏｇｉｅｓ  Ｌｔｄ．から入手できるＣＬＰＰコードレス接続パネルのような、接続パネルの内部接続装置によって、もたらされている。
【０００４】
この種のシステムにおいては、様々なポート間の、相互接続状態を確認するために、一本の導線をそのポート間に相互接続し、スキャナーにある特定ポートの接続状態を表わす、信号を送ることが必要である。最近のコンピューター時代においては、この目的のために、一本の導線を具えることは、実際問題として困難である。何故なら、様々な装置を相互接続するために使われる、最近の大部分のデータケーブルは、業界であらかじめ決められた特定の標準に適合しなければならないからである。それは例えば、ＲＪ４５のような標準ケーブルでは、ケーブル当り８本のワイヤー夫々が、ＲＪ４５ポートに適合する端末を有する。相互接続状態を走査できるようにするために、使えるワイヤーは一本も無い。
【０００５】
従って、従来のスキャナーシステムにおいては、各ポートが接続パネル経由で相互接続されていることが必要であった。それ故に、特別な接続ケーブル、または接続パネル内部における相互接続装置が必要であった。どの場合においても、標準ケーブルを用いて、各ポートを直接に接続することはできなかった。標準ケーブルを用いて、スキャナーシステムを接続したいという、需要と願望は明らかに存在したが、これまでのところ、そのようなシステムに、到達できないままであった。
【０００６】
【この発明の目的】
従って、上述した従来技術の欠点を克服する、ポート間の相互接続法を確認し、モニタリングするシステムを、提供することがこの発明の目的のひとつである。
【０００７】
さらに詳しくは、特別な接続ケーブル、あるいは接続パネルを必要としない、ポート間の相互接続法を確認し、モニタリングするシステムを、提供することがこの発明の目的のひとつである。
【０００８】
さらに詳しくは、標準的な接続ケーブルを使用して、ポート間の相互接続法を確認し、モニタリングするシステムを、提供することがこの発明の目的のひとつである。
【０００９】
【この発明の要約】
この発明では、特別な接続ケーブル、あるいは接続パネルを必要とせず、多重伝導ケーブルによって接続された、データポート間の相互接続状態を確認し、モニタリングする。
【００１０】
ひとつのポートと別のポートとの間の、接続法を電気的に確認するためには、一本の電気的導線が、ひとつのポートと別のポートとを接続する必要があることは、一般に良く知られている。
【００１１】
この原理は良く知られているけれども、例えば、ＲＪ１１、およびＲＪ４５のような、標準化されたケーブルが用いられる最近においては、接続性走査の目的のために、専用導線を具えることは困難である。何故なら、ケーブル内の各ワイヤーは、標準化された諸目的のために用いられ、その標準化された諸目的は、接続性走査の作業と、干渉するかも知れないからである。
【００１２】
この発明による、接続法をモニターする装置においては、既存のケーブルに取り付けることができる、専用導線が用意されている。該導線は、該ケーブルが接続されるべき、あるポートに取り付けられ、そのアダプターボードと相互作用する。
【００１３】
走査作業のための、追加的接点を準備するために、アダプタージャケットが準備され、ＲＪ４５ジャックに取り付けられる。該アダプタージャケットは、ケーブル両端にあるジャックに取り付けられる。
【００１４】
走査作業のための、該追加的接点は、該アダプタージャケットの外側に位置して、外側接点経由で提供される。外部導線ワイヤーは、ケーブル両端にある、該ジャックの外部接点を、夫々の端部にある接点が、互いに電気的に結合されるように接続する。
【００１５】
ポートの位置で、アダプタージャケットの外側接点を用意するため、ソケット接点を有する各ソケットについて、ポートソケットの上に、アダプターボードが用意される。該ソケット接点は、アダプタージャケットを有するＲＪ４５ジャックが、あるソケットに挿入されるとき、アダプタージャケットの接点が、アダプターボードのソケット接点と、電気的に接続されるように位置決めされる。
【００１６】
システム全体において、該アダプターボードが、ひとつの出力モジュールと、ひとつの入力モジュールとに結合される。その出力ドライバーモジュールは、多数の出力ドライバーを有し、その受信モジュールは、多数のラッチ（ラッチの代わりに、別の類似した電気的素子を使うこともできる。）を有する。
【００１７】
夫々のソケット接点は、ひとつの出力ドライバー、およびひとつのラッチと、ユニークな方法で結合されている。該出力モジュールおよび入力モジュールは、両方とも、マイクロプロセッサーと結合されており、換言すれば通信用中継器と結合されている。このシステムは、接続状態に関する情報伝達のために、ローカルエリアネットワーク（ＬＡＮ）、またはコンピューターと結合することができる。
【００１８】
出力モジュール、および入力モジュールの両方とも、標準的ＩＣ素子を用いて実施することができる。
【００１９】
出力モジュールの主な機能は、マイクロプロセッサーによって、そうするように指示されたとき、アダプター接点にアドレスする多数の出力ドライバーを用意し、その接点に信号を送ることである。
【００２０】
入力モジュールの主な機能は、これもまた接点にアドレスする、多数のラッチ（または別の類似素子）を用意し、出力ドライバーから送られた信号を受信することである。この通信用中継器もまた、マイクロプロセッサー、およびローカルエリアネットワーク（ＬＡＮ）間の中継器として、日常的に入手できる標準的素子、および電気的装置を用いて、実施することができる。
【００２１】
ここで、この発明の作動（オペレーション）について述べる。マイクロプロセッサーが、第１番目のドライバーとして、あらかじめ指定された出力ドライバー、および第１番目の接点として、接続されたソケット接点を有する。指定された第１番目の接点として接続された、入力モジュール内におけるラッチが、第１番目のラッチとして指定される。
【００２２】
第１番目のソケット接点に対応するポートが、第１番目のポートであると考えられる。別のドライバーが、第２番目のドライバーとしてあらかじめ指定され、その対応するソケット接点が、第２番目の接点として指定され、その対応するラッチが、第２番目のラッチとして指定される。同じ指定計画が、第３番目、第４番目、第５番目、などに対しても適用されて、ドライバー／接点／ラッチのグループ化が行なわれ、全てのグループがユニークに指定される。
【００２３】
最初は、全てのソケット接点が、出力モジュールから、そこへ送られてくる信号が皆無で、低位の状態である。様々なポートの接続状態をモニターするために、マイクロプロセッサーは、指定された第１番目の出力ドライバーに、該マイクロプロセッサーが、第１番目の接点として指定していた、ソケット接点にパルス信号を送り出させる。
【００２４】
これによって、第１番目のソケット接点を高位の状態に置き、従って、入力モジュール内における第１番目のラッチもまた、高位の状態に置かれる。
【００２５】
この信号を送り出した後、マイクロプロセッサーは、高位の状態にあるラッチを探して、入力モジュールを走査する。もし第１番目のラッチだけが高位を示せば、該マイクロプロセッサーは、第１番目のポートとそれ以外のポートとの間に、有効な接続が行なわれていないと結論する。
【００２６】
しかしもし、第１番目のポートであるポート１以外のポート、例えばポート７が、高位を示せば、そのときは、該マイクロプロセッサーは、該ポート１がポート７と、有効に接続されていると結論する。
【００２７】
ひとたびポート１の接続状態が確認されると、その結果がメモリーに保存され、そして同じプロセスが、ポート２その他に対しても繰り返され、全てのポートの接続状態が確認されるまで、繰り返される。
【００２８】
【この発明の詳細な記述】
ポート間の接続性を電気的に確認するには、ポート間を導体で接続しなければならないことは一般に知られている。ＲＪ１１やＲＪ４５などの標準的な多重伝導ケーブルが用いられている現代においてこの原理はよく知られているものの、ケーブル中の各導線は接続性走査作業とは相反する標準化された目的に使われているので、これらの専用の導体を接続性走査目的に用いるには難がある。
【００２９】
ケーブル中の現存の導線を走査作業に割り当てることは可能であろうが、これには追加の回路を用いて、走査目的に用いられる信号とデータ伝送などの他の目的に用いる信号とを識別する必要がある。加えて多くの場合、現存の導線または導体を効果的に割り当てるのは不可能である。
【００３０】
この発明の接続性モニターシステムにおいては、現存するケーブルに付設できる専用の導体を用いている。この導体はケーブルが接続されるポートに取り付けられたアダプターボードと相互作用する。以下の実施例の記載に当たっては、一般に標準のＲＪ４５などを用いた特定のケーブル／ポート接続を例示するが、この発明はこの例に限定されるものではない。
【００３１】
図１ａにおいて、ジャック５を具えた標準ＲＪ４５ケーブル３が１個のみ図示されているが、ケーブルの他端にも同様なジャックが取り付けられている。このジャック５は８個の標準接点点６を有している。走査作業のための追加の接点点を設けるべく、アダプタージャケット７（図１ｃ）が図１ｂに示すようにジャックに取り付けられている。
【００３２】
このアダプタージャケットはケーブル３の両端においてジャック５に取り付けられている（１個のみ図示されているが）。走査作業のための追加の接点点はジャケット７の外側上に外部接点８を介して設けられている。外部導体導線９はジャック５の外部接点８をケーブル３の各端部に接続しており、各端部の接点８は互いに電気的に接続されている。
【００３３】
図２には複数のＲＪ４５ソケットが示されており、これらは標準ソケットで標準ＲＪ４５ジャックと会合している。ソケットは１０ベース−ＴハブＰＡＢＸなどのネットワーク装置、キーフォーンシステムのためのポートであってもよく、またはパッチパネルのポートであってもよい。しかしこの発明の作業を達成するには特定のパッチパネルは必要ないのである。
【００３４】
アダプタージャケット７のための外部接点８の接点点を設けるべく、ソケット１２の上側にはアダプターボード１４が設けられていて、各ソケット１２はソケット接点１５を有している。ソケット接点１５は、図１Ｂに示すようにジャケット７を具えたジャック５が図２のソケット１２に挿入されたときにジャケット７の接点８がボード１４のソケット接点１５に電気的に会合するように、配置されている。ここではボード１４は複数のソケット接点１５を支持しているが、単一のソケットに用いられる１個のソケット接点のみを支持してもよく、その方が望ましいこともある。
【００３５】
図３にこの発明のシステム１の概略構成を示す。図２のアダプターボード１４は出力モジュール１８と入力モジュール１９とに結合されている。図４に詳しく示すように、出力ドライバーモジュール１８は複数の出力ドライバー２０を有しており、受信モジュール１９は複数のラッチ２５（ラッチの代りに他の同様な電気装置を用いてもよい）を有している。各ソケット接点１５は１個の出力ドライバー２０と１個のラッチ２５とに結合されている。出力入力モジュール１８、１９はともにマイクロプロセッサー２１に結合されており、マイクロプロセッサーは通信中継器２２に結合されている。システム１はローカルエリアネットワーク２３またはコンピューター２４に接続されて接続性に関する情報を報告するように構成してもよい。
【００３６】
出力入力モジュールは標準ＩＣ装置を用いて構成できる。出力モジュール１８の主なる機能は、アダプター接点１５をアドレスする複数の出力ドライバー２０を与えて、かつマイクロプロセッサー２１の指令に基づいて接点１５に信号を送る、ことにある。入力モジュール１９の主たる機能は、接点１５をアドレスする複数のラッチ２５（または他の同様な装置）を与えて、かつ出力ドライバーからの信号を受信する、ことにある。通信中継器２２はマイクロプロセッサー２１とローカルエリアネットワーク２３と電子装置の間を中継するのに現在入手できる標準装置を用いて構成することができる。
【００３７】
さらに詳しく説明すると、図３のアダプターボード１４は図２に示すポートソケットの上側に配置される。マイクロプロセッサー２１は予備指定された第１のドライバーとしての１個の出力ドライバーとこれに接続されたソケット接点とを有している。指定された第１の接点に接続された入力モジュール１９中のラッチは第１のラッチである。第１のソケット接点に対応するポートは第１のポートである。
【００３８】
他のドライバーは第２の予備指定ドライバーであって、それに対応するソケット接点は第２の接点であって、対応するラッチは第２のラッチである。以下第３、第４、第５と同様な指定が行われて、全ての群が指定される。しかし個々の群がマイクロプロセッサー２１により追跡できる限りでは、指定態様は自由である。
【００３９】
最初全てのソケット接点１５は低い状態にあり、出力モジュール１８からこれらには信号は送られない。種々のポートの接続性をモニターするべく、マイクロプロセッサー２１は第１の出力ドライバーからマイクロプロセッサー２１が第１の接点と指定したソケット接点１５に１個のパルス信号を送らせる。これにより第１のソケット接点は高い状態となり、入力モジュール１９中の第１のラッチも高い状態となる。信号を送った後、マイクロプロセッサー２１は高い状態のラッチについて入力モジュール１９を走査する。第１のラッチのみが高い状態を呈したときには、第１のポートと他のポートとの間に接続がなされなかったと、マイクロプロセッサー２１は判断する。しかし第１のポート以外のポート（例えばポート７）が高い状態を呈したときには、ポート１がポート７に有効に接続されたものと、マイクロプロセッサー２１は判断する。ポート１の接続性が確認されたら、結果がメモリーに記憶されて、以下ポート２など次々と同じ作業が繰り返され、すべてのポートの接続状態が確認される。
【００４０】
この発明にあっては他の走査態様を採用することもできるが、上記したような態様は好ましいものである。その利点はいかなるポートもいかなるポートに接続できることにある。１個のパネルが入力パネルとして指定され他のパネルが出力パネルとして指定され、かつケーブルにより出力パネルからの１個のポートを入力パネルからの１個のポートに接続する必要のあるパッチパネル走査システムではこうはいかないのである。
【００４１】
例えばケーブルは入力パネルからのポートを同じ入力パネルからのポートに接続することはできないのである。特定のパッチパネルは必要ではなく、したがってポートをランダムに拡張できるので、この特徴はこの発明にとって特に有用である。
【００４２】
条件によっては、この発明により装填された特定のデータの身元を知りたい場合がある。従来のシステムにあっては、ソケット側でポートが適切にラベル付けされていない場合には、ポートを源に接続しているケーブルを追跡しないことにはポートの身元を確認することは難しいのである。この問題を解決すべくこの発明にあっては、診断ペンを用いて身元を明らかにしたいポートに対応するソケット接点に接触するだけで、ポートを識別することができるのである。
【００４３】
診断ペンを用いたこの発明のシステムのブロック線図を図８に示す。ペン８０は電導性の先端８２を有しており、この先端８２はペン入力モジュール８４に電気的に結合され、該モジュール８４はマイクロプロセッサー２１に通信可能に結合されている。図９に示すように、該モジュール８４は単一のラッチ２７などを有しており、これにより電気的な信号を受信する。
【００４４】
ソケット接点１５がペン８０の先端８２と接触しているか否かを確認すべく、マイクロプロセッサー２１は連続的にモジュール８４の状態をモニターしている。出力モジュールは各ソケット接点１５に連続して信号を送り出す。各ソケット接点１５は出力モジュール１８においてアドレスされるので、各ソケット接点１５は追跡可能なのである。
【００４５】
したがって、マイクロプロセッサー２１はいずれのソケット接点１５がモジュール１８により信号を送られているかを確認することができる。最初ペン８０の先端８２はいずれのソケット接点とも接触していないときには、いかなる信号も受け取らないから、ペン入力モジュール８４は低い状態にある。しかし先端８２がいずれかのソケット接点１５に接触すると、モジュール８４は高い状態となる。このときいずれのソケット接点１５に出力モジュール１８が信号を送ったかを確認することにより、マイクロプロセッサー２１はいずれのソケット接点１５がペン先端８２と接触したかを確認することができる。ついでそのソケット接点１５に対応するデータポートが識別される。
【００４６】
データポートの識別をさらに容易としかつ柔軟性を付与すべく、図１３に示すように各ポートに液晶ディスプレー（ＬＣＤ）ユニット１００を用いてよい。該ＬＣＤユニット１００はデータポートの近くに設けられていて、ＬＣＤモジュール１０２に通信可能に結合される。詳細は図１４に示す。
【００４７】
該モジュール１０２はＬＣＤユニット１００に接続された複数の出力ドライバー２８を有しており、ＬＣＤユニット１００は特定のポートまたはポート列についての情報を表示する。例えば、該ＬＣＤユニットはポートに接続された装置、ユーザー名またはＩＰアドレスなどを表示する。ＬＣＤはペン８０と接続して使用されて、特定のソケット接点に接触することにより、マイクロプロセッサーがそのペン８０との接触に対応するＬＣＤユニットにポートに関する情報を送る。
【００４８】
ＬＣＤユニット１００はいかなる中継的な性能を帯びることもでき、自分の選択を示すＹＥＳ／ＮＯなどの簡単なメニューによりユーザーは種々の選択をすることができる。ペン８０でソケット接点（または専用の接触パッド）に接触してもよい。単一のＬＣＤ連続帯体を用いてもよい。
【００４９】
以上ではＲＪ４５標準を用いたが、他の現存の標準を用いることもできる。その数例を図５〜７に示す。現在入手可能なＳＣコネクター、ＳＴコネクターおよびＢＮＣコネクターなどにアダプタージャケットが装填されており、それぞれのポートにはアダプターボードが具えられている。
【００５０】
図５〜５Ｃにおいて、標準コネクター３０には接点３２を具えたアダプタージャケット３１が装填されていて、ＳＣコネクター３３を構成している。またＳＣコネクターソケット３５にはアダプター接点点３６を有したアダプターボード３４が装填されている。
【００５１】
図６〜６Ｃにおいて、標準ＳＴコネクター４０には接点４２を具えたアダプタージャケット４１が装填されてＳＴコネクター４４を構成している。ＳＴコネクターソケット４５には接点点４６を具えたアダプターボード４４が装填されている。
【００５２】
図７〜７Ｃにおいて、標準ＢＮＣコネクター５０には接点５２を具えたアダプタージャケット５１が装填されてＢＮＣコネクター５５を構成している。ＢＮＣコネクターソケット５５には接点点５６を具えてアダプターボード５４が装填されている。
【００５３】
他の実施例においては、ジャケット７の外部接点８は図１０に示すような接触ピン６０である。この場合ピン６０はジャケット６４に内蔵されたバレル６２と摺動係合している。このピン６０はバレル６２内のバネ６６により支持されていて、ピン６０が矢印６５方向に押圧されたときに引張り力を与える。バネ６６による引張り力によりピン６０はアダプターボード１４のソケット接点１５とよりよく接触する（図２）。
【００５４】
しかしこのバネはピン６０に必要な引張り力を与える他の要素で置換してもよい。
【００５５】
他の実施例においては、図１１に示すように外部接点がジャックそれ自身に内蔵されている。接触ピン７０はＲＪ４５ジャック７２上に配置されている。図１０の場合と同じく、接触ピン７０はバレル７４内に摺動係合しており、バネ７６により支持されている。しかし外部接点はバレル７４やバネ７６なしでもよい。この場合ソケット接点はソケット内に配置されて接触ピン７０と接触する。
【００５６】
他の実施例では、図１２に示すように可撓性テープを用いてアダプター帯体９０を形成する。この帯体９０は接着性を施与してソケットの近くに配置できるようにしてもよい。帯体９０は本体９２と頭部９３とを有しており、電子回路の支持に汎用される可撓性テープからなるものである。本体９２は複数の接点９４を有しており、これらは帯体が付設されるデータポートの間隙に対応する間隙を有している。
【００５７】
図示のように２列の接点を設けてもよく、帯体９０の上下に位置する２列のポートと通信するようにもできる。勿論帯体１個に１列としてもよい。各接点９４は導線などの導体により相互に接続され、その端部は頭部９３の帯体９６に終わっている。帯体９６は帯体９０を入力出力モジュール１８、１９に会合させる便利な方法である。
【００５８】
他の実施例では、ソケット接点を外部接点と会合するポートまたはソケットの形で与える。アダプタージャケットを標準多重伝導ケーブルと一体としてもよい。
【００５９】
この発明は以上の実施例に限定されるものではない。
【図面の簡単な説明】
【図１】  （Ａ）この発明のシステムを適用して作動できる、既存のＲＪ４５ケーブルを示す斜視図である。
（Ｂ）この発明によるアダプタージャケットを装填した、図１（Ａ）のＲＪ４５ケーブルを示す斜視図である。
（Ｃ）ＲＪ４５ケーブルジャックに適用される、この発明によるアダプタージャケット単独の斜視図である。
【図２】  この発明によるアダプターボードを装填した、多数のＲＪ４５ソケットの正面図である。
【図３】  この発明による、接続状態モニタリングシステムを、簡略図式化して示す説明図である。
【図４】  出力ドライバー、ソケット接点、および受信器ラッチ相互間の関係を示す、簡略図式の説明図である。
【図５】  （Ａ）この発明のシステムを適用して使える、様々な別の標準ケーブルを示す。
（Ｂ）この発明のシステムを適用して使える、様々な別の標準ケーブルを示す。
（Ｃ）この発明のシステムを適用して使える、様々な別の標準ケーブルを示す。
【図６】  （Ａ）この発明のシステムを適用して使える、様々な別の標準ケーブルを示す。
（Ｂ）この発明のシステムを適用して使える、様々な別の標準ケーブルを示す。
（Ｃ）この発明のシステムを適用して使える、様々な別の標準ケーブルを示す。
【図７】  （Ａ）この発明のシステムを適用して使える、様々な別の標準ケーブルを示す。
（Ｂ）この発明のシステムを適用して使える、様々な別の標準ケーブルを示す。
（Ｃ）この発明のシステムを適用して使える、様々な別の標準ケーブルを示す。
【図８】  オプションの診断ペンを組み込んだ、この発明による、接続状態のモニタリングシステムを、簡略図式化して示す説明図である。
【図９】  出力ドライバー、ソケット接点、受信器ラッチ、およびペン入力ラッチ相互間の関係を示す、簡略図式の説明図である。
【図１０】  外部接点がバネで支持されたピンである、ひとつの実施例を示す。
【図１１】  外部接点がジャケットそのものの内部に置かれた、ひとつの実施例を示す。
【図１２】  可撓性テープの外側に形成された、アダプター帯体を示す。
【図１３】  オプションの診断ペンおよびＬＣＤユニットを組み込んだ、この発明による、接続状態のモニタリングシステムを、簡略図式化して示す説明図である。
【図１４】  出力ドライバー、ソケット接点、受信器ラッチ、ペン入力ラッチ、およびＬＣＤドライバー相互間の関係を示す、簡略図式の説明図である。
【図１Ａ】
0004738601.tif 000002
【図１Ｂ】
0004738601.tif 000003
【図１Ｃ】
0004738601.tif 000004
【図２】
0004738601.tif 000005
【図３】
0004738601.tif 000006
【図４】
0004738601.tif 000007
【図５】
0004738601.tif 000008
【図５Ａ】
0004738601.tif 000009
【図５Ｂ】
0004738601.tif 000010
【図５Ｃ】
0004738601.tif 000011
【図６】
0004738601.tif 000012
【図６Ａ】
0004738601.tif 000013
【図６Ｂ】
0004738601.tif 000014
【図６Ｃ】
0004738601.tif 000015
【図７】
0004738601.tif 000016
【図７Ａ】
0004738601.tif 000017
【図７Ｂ】
0004738601.tif 000018
【図７Ｃ】
0004738601.tif 000019
【図８】
0004738601.tif 000020
【図９】
0004738601.tif 000021
【図１０】
0004738601.tif 000022
【図１１】
0004738601.tif 000023
【図１２】
0004738601.tif 000024
【図１３】
0004738601.tif 000025
【図１４】
0004738601.tif 000026